【手続補正書】
【提出日】平成18年4月6日(2006.4.6)
【手続補正１】
【補正対象書類名】明細書
【補正対象項目名】特許請求の範囲
【補正方法】変更
【補正の内容】
【特許請求の範囲】
【請求項１】  放射線画像の撮影を行う放射線画像撮影方法であって、
被写体に放射線を照射して、前記被写体より大きい状態の拡大撮影率βの拡大撮影を行い、
前記被写体を透過した放射線を放射線ディテクタにより受けて、放射線画像読み取り手段から入力サンプリングピッチＳで撮影データを出力し、
画像処理手段で前記撮影データに縮小率α（ただし、α＜１）の画像処理を施して放射線画像データを生成し、
放射線画像データに基づいて出力サンプリングピッチＬで画像形成出力し、
Ｓ＝（Ｌ・Ｃ）／α（ただし、Ｃは正の整数である定数）、
を満たすように、前記入力サンプリングピッチＳ、前記縮小率α、または前記出力サンプリングピッチＬを調整する制御を制御手段で行う、
ことを特徴とする放射線画像撮影方法。
【請求項２】  前記放射線画像読み取り手段における入力サンプリングピッチＳについて、
Ｓ＝（Ｌ・Ｃ）／α、
を満たすように調整する制御を制御手段で行う、
ことを特徴とする請求項１記載の放射線画像撮影方法。
【請求項３】 前記出力画像の縮小率α（α＜１）について、
α＝（Ｌ・Ｃ）／Ｓ、
を満たすように調整する制御を制御手段で行う、
ことを特徴とする請求項１記載の放射線画像撮影方法。
【請求項４】  放射線画像データに基づいて画像形成出力する画像出力手段の出力サンプリングピッチＬについて、
Ｌ＝（α・Ｓ）／Ｃ、を満たすように調整する制御を制御手段で行う、
ことを特徴とする請求項１記載の放射線画像撮影方法。
【請求項５】  前記出力画像の縮小率αは、前記拡大撮影率βの逆数である、ことを特徴とする請求項１乃至請求項４のいずれかに記載の放射線画像撮影方法。
【請求項６】  放射線画像の撮影を行う放射線画像撮影方法であって、
被写体を透過した放射線を放射線ディテクタにより受けて撮影データを放射線画像読み取り手段から出力し、
画像処理手段で前記撮影データに画像処理を施して放射線画像データを生成し、
放射線画像データに基づいて画像形成出力する画像出力手段の出力サンプリングピッチＬ、前記放射線画像読み取り手段の入力サンプリングピッチＳ、および正の整数である定数Ｃ、出力画像の縮小率α（α＜１）により、前記放射線画像読み取り手段で被写体より大きい状態の拡大撮影の際の拡大撮影率βについて、
β＝１／α＝Ｓ／（Ｌ・Ｃ）、
を満たすように、放射線管の位置、被写体の位置、または放射線ディテクタの位置の少なくとも一つを調整して被写体と等倍で画像形成出力するための制御を制御手段で行う、
ことを特徴とする放射線画像撮影方法。
【請求項７】  前記放射線画像読み取り手段から出力される撮影データが、位相コントラスト放射線画像データである、
ことを特徴とする請求項１乃至請求項６のいずれかに記載の放射線画像撮影方法。
【請求項８】  放射線画像の撮影を行う放射線画像撮影装置であって、
被写体を透過した放射線を放射線ディテクタにより受けて、入力サンプリングピッチＳで読み取った撮影データを出力する放射線画像読み取り手段と、
前記放射線画像読み取り手段で得られた撮影データに、縮小率α（α＜１）の画像処理を施して放射線画像データを生成する画像処理手段と、
放射線画像データに基づいて出力サンプリングピッチＬで画像形成出力する画像出力手段と、
Ｓ＝（Ｌ・Ｃ）／α（ただし、Ｃは正の整数である定数）、
を満たすように前記入力サンプリングピッチＳ、前記縮小率α、または前記出力サンプリングピッチＬを調整する制御を制御手段と、を有し、
被写体より大きい状態の拡大撮影率βの拡大撮影を行うことを特徴とする放射線画像撮影装置。
【請求項９】 前記制御手段は、前記放射線画像読み取り手段における入力サンプリングピッチＳについて、
Ｓ＝（Ｌ・Ｃ）／α、
を満たすように調整する制御を行う、ことを特徴とする請求項８記載の放射線画像撮影装置。
【請求項１０】 前記制御手段は、出力画像の縮小率α（α＜１）について、
α＝（Ｌ・Ｃ）／Ｓ、
を満たすように調整する制御を行うことを特徴とする請求項８記載の放射線画像撮影装置。
【請求項１１】  前記制御手段は、前記画像出力手段の出力サンプリングピッチＬについて、
Ｌ＝（α・Ｓ）／Ｃ、
を満たすように調整する制御を行うことを特徴とする請求項８記載の放射線画像撮影装置。
【請求項１２】  前記出力画像の縮小率αは、前記拡大撮影率βの逆数である、
ことを特徴とする請求項８乃至請求項１１のいずれかに記載の放射線画像撮影装置。
【請求項１３】  放射線画像の撮影を行う放射線画像撮影装置であって、
被写体を透過した放射線を放射線ディテクタにより受けて撮影データを出力する放射線画像読み取り手段と、
前記放射線画像読み取り手段で得られた撮影データに画像処理を施して放射線画像データを生成する画像処理手段と、
放射線画像データに基づいて画像形成出力する画像出力手段の出力サンプリングピッチＬ、前記放射線画像読み取り手段の入力サンプリングピッチＳ、および正の整数である定数Ｃ、出力画像の縮小率α（α＜１）により、前記放射線画像読み取り手段で被写体より大きい状態の拡大撮影の際の拡大撮影率βについて、
β＝１／α＝Ｓ／（Ｌ・Ｃ）、
を満たすように、放射線管の位置、被写体の位置、または放射線ディテクタの位置の少なくとも一つを調整して被写体と等倍で画像形成出力するための制御を行う制御手段と、
を有することを特徴とする放射線画像撮影装置。
【請求項１４】  前記放射線画像読み取り手段から出力される撮影データが、位相コントラスト放射線画像データである、
ことを特徴とする請求項８乃至請求項１３のいずれかに記載の放射線画像撮影装置。
【手続補正２】
【補正対象書類名】明細書
【補正対象項目名】００１３
【補正方法】変更
【補正の内容】
【００１３】
【課題を解決するための手段】
上記課題を解決する本発明は以下に示すものである。
（１）請求項１記載の発明は、放射線画像の撮影を行う放射線画像撮影方法であって、被写体に放射線を照射して、前記被写体より大きい状態の拡大撮影率βの拡大撮影を行い、前記被写体を透過した放射線を放射線ディテクタにより受けて、放射線画像読み取り手段から入力サンプリングピッチＳで撮影データを出力し、画像処理手段で前記撮影データに縮小率α（ただし、α＜１）の画像処理を施して放射線画像データを生成し、放射線画像データに基づいて出力サンプリングピッチＬで画像形成出力し、Ｓ＝（Ｌ・Ｃ）／α（ただし、Ｃは正の整数である定数）、を満たすように、前記入力サンプリングピッチＳ、前記縮小率α、または前記出力サンプリングピッチＬを調整する制御を制御手段で行う、ことを特徴とする放射線画像撮影方法である。
【手続補正３】
【補正対象書類名】明細書
【補正対象項目名】００１４
【補正方法】変更
【補正の内容】
【００１４】
また、請求項８記載の発明は、放射線画像の撮影を行う放射線画像撮影装置であって、被写体を透過した放射線を放射線ディテクタにより受けて、入力サンプリングピッチＳで読み取った撮影データを出力する放射線画像読み取り手段と、前記放射線画像読み取り手段で得られた撮影データに、縮小率α（α＜１）の画像処理を施して放射線画像データを生成する画像処理手段と、放射線画像データに基づいて出力サンプリングピッチＬで画像形成出力する画像出力手段と、Ｓ＝（Ｌ・Ｃ）／α（ただし、Ｃは正の整数である定数）、を満たすように前記入力サンプリングピッチＳ、前記縮小率α、または前記出力サンプリングピッチＬを調整する制御を制御手段と、を有し、被写体より大きい状態の拡大撮影率βの拡大撮影を行うことを特徴とする放射線画像撮影装置である。
（２）請求項２記載の発明は、上記（１）において、前記放射線画像読み取り手段における入力サンプリングピッチＳについて、Ｓ＝（Ｌ・Ｃ）／α、を満たすように調整する制御を制御手段で行う、ことを特徴とする。
また、請求項９記載の発明は、上記（１）において、前記制御手段は、前記放射線画像読み取り手段における入力サンプリングピッチＳについて、Ｓ＝（Ｌ・Ｃ）／α、を満たすように調整する制御を行う、ことを特徴とする。
【手続補正４】
【補正対象書類名】明細書
【補正対象項目名】００１７
【補正方法】変更
【補正の内容】
【００１７】
（３）請求項３記載の発明は、上記（１）において、出力画像の縮小率α（α＜１）について、α＝（Ｌ・Ｃ）／Ｓ、を満たすように調整する制御を制御手段で行う、ことを特徴とする放射線画像撮影方法である。
【手続補正５】
【補正対象書類名】明細書
【補正対象項目名】００１８
【補正方法】変更
【補正の内容】
【００１８】
また、請求項１０記載の発明は、上記（１）において、出力画像の縮小率α（α＜１）について、α＝（Ｌ・Ｃ）／Ｓ、を満たすように調整する制御を行う制御手段と、を有することを特徴とする放射線画像撮影装置である。
【手続補正６】
【補正対象書類名】明細書
【補正対象項目名】００２１
【補正方法】変更
【補正の内容】
【００２１】
（４）請求項４記載の発明は、上記（１）において、放射線画像データに基づいて画像形成出力する画像出力手段の出力サンプリングピッチＬについて、Ｌ＝（α・Ｓ）／Ｃ、を満たすように調整する制御を制御手段で行う、ことを特徴とする放射線画像撮影方法である。
【手続補正７】
【補正対象書類名】明細書
【補正対象項目名】００２２
【補正方法】変更
【補正の内容】
【００２２】
また、請求項１１記載の発明は、上記（１）において、画像出力手段の出力サンプリングピッチＬについて、Ｌ＝（α・Ｓ）／Ｃ、を満たすように調整する制御を行う制御手段と、を有することを特徴とする放射線画像撮影装置である。
【手続補正８】
【補正対象書類名】明細書
【補正対象項目名】００２４
【補正方法】変更
【補正の内容】
【００２４】
この結果、レーザイメージャで画像形成出力を得る場合に、正の整数Ｃで単純補間することになり、単純補間ではない状態で補間が行われることによる画像の劣化を防止することが可能になる。
【手続補正９】
【補正対象書類名】明細書
【補正対象項目名】００２５
【補正方法】削除
【補正の内容】
【手続補正１０】
【補正対象書類名】明細書
【補正対象項目名】００２６
【補正方法】削除
【補正の内容】
【手続補正１１】
【補正対象書類名】明細書
【補正対象項目名】００２７
【補正方法】変更
【補正の内容】
【００２７】
（５）請求項５記載の発明は、前記出力画像の縮小率αは、前記拡大撮影率βの逆数である、ことを特徴とする請求項１乃至請求項４のいずれかに記載の放射線画像撮影方法である。また、請求項１２記載の発明は、前記出力画像の縮小率αは、前記拡大撮影率βの逆数である、ことを特徴とする請求項８乃至請求項１１のいずれかに記載の放射線画像撮影装置である。
【手続補正１２】
【補正対象書類名】明細書
【補正対象項目名】００３６
【補正方法】削除
【補正の内容】